(57)【要約】【課題】  アニメーション効果を伴って画像を表示する際に生じる違和感を軽減する。【解決手段】  奇数行フィールドに対応する画素と偶数行フィールドに対応する画素とを混合した混合画像を現在表示画像と次表示画像のそれぞれについて生成し（Ｓ２００）、ビデオチップを奇数偶数同一モードに設定すると共に現在表示画像の混合画像をＶＲＡＭに書き込み（Ｓ２１０）、各混合画像を用いてクロスフェード効果の各コマの画像を生成してＶＲＡＭに書き込む処理を繰り返し実行し（Ｓ２２０〜Ｓ２６０）、最終コマの画像（次表示画像の混合画像）がＶＲＡＭに書き込まれると、ビデオチップを通常モードに設定すると共に次表示画像の元の画像をＶＲＡＭに書き込む（Ｓ２７０）。この結果、奇数偶数同一モード側では混合画像を用いることにより元の画像の偶数行フィールドに対応する画素も混合して表示されるから切り替えの際に生じる違和感を軽減することができる。【選択図】        図７
2006018033.tif 000002
【特許請求の範囲】
【請求項１】
接続された表示機器に画像を表示出力する画像表示出力装置であって、
前記表示機器に表示する画面イメージを記憶する画面イメージ記憶手段と、
１画面を奇数行フィールドと偶数行フィールドとの２段階で表示するインターレース方式の映像信号として前記画面イメージ記憶手段に記憶されている画面イメージを前記表示機器へ出力し、奇数行フィールドに対応する画面イメージを奇数行フィールドの映像信号として出力すると共に偶数行フィールドに対応する画面イメージを偶数行フィールドの映像信号として出力する通常モードと、奇数行フィールドと偶数行フィールドのいずれかである所定フィールドに対応する画面イメージを奇数行フィールドと偶数行フィールドの両方の映像信号として出力する奇数偶数同一モードとを有する画面イメージ出力手段と、
画像を記憶する画像記憶手段と、
該記憶されている画像の中から指定された画像の所定のアニメーション効果を伴う前記表示機器への表示指示がなされたときに、前記画面イメージ出力手段を奇数偶数同一モードに設定すると共に該指定された画像の奇数行フィールドに対応する画素と偶数行フィールドに対応する画素とを混合した混合画像の前記所定フィールドに対応する画像を用いて該所定のアニメーション効果に係る各コマの画像を生成し該生成した各コマの画像を該所定フィールドに対応する画面イメージとして前記画面イメージ記憶手段に書き込む画像アニメーション表示手段と、
該画像アニメーション表示手段により前記所定のアニメーション効果に係る最終コマの画像としての前記混合画像の前記所定フィールドに対応する画像が該所定フィールドに対応する画面イメージとして書き込まれた後に、前記画面イメージ出力手段を通常モードに設定すると共に前記指定された画像を前記画面イメージとして前記画面イメージ記憶手段に書き込む後処理実行手段と、
を備える画像表示出力装置。
【請求項２】
前記混合画像は、上下に隣接する奇数行フィールドに対応する画素と偶数行フィールドに対応する画素のうち所定の画素を入れ替えた画像である請求項１記載の画像表示出力装置。
【請求項３】
前記所定の画素は、行方向に１画素おきの画素である請求項２記載の画像表示出力装置。
【請求項４】
前記後処理実行手段は、前記画面イメージ出力手段を通常モードに設定すると共に前記指定された画像の混合画像を前記画面イメージとして書き込み、その後、前記指定された画像を前記画面イメージとして書き込む手段である請求項１ないし３いずれか記載の画像表示出力装置。
【請求項５】
請求項１ないし４いずれか記載の画像表示出力装置であって、
前記表示指示は、前記表示機器に表示されている画像からのクロスフェード効果を伴って前記指定された画像を表示する指示であり、
前記画像アニメーション表示手段は、前記指定された画像の混合画像と前記表示されている画像とを用いて前記クロスフェード効果に係る各コマの画像を生成して前記所定フィールドに対応する画面イメージとして書き込む手段である、
画像表示出力装置。
【請求項６】
前記画像アニメーション表示手段は、前記指定された画像の混合画像と前記表示されている画像の混合画像とを用いて前記クロスフェード効果に係る各コマの画像を生成する手段である請求項５記載の画像表示出力装置。
【請求項７】
前記表示機器はテレビ受像機である請求項１ないし６いずれか記載の画像表示出力装置。
【請求項８】
請求項１ないし７いずれか記載の画像表示出力装置を備え、前記画像を印刷する印刷実行手段を備える印刷装置。
【請求項９】
請求項８記載の印刷装置であって、
操作者の操作に基づく操作情報を光信号に変換して送信する操作信号送信手段と、
該操作信号送信手段からの光信号を受光する受光部と該受光部で受光した光信号に基づいて前記操作情報を解析する情報解析部とを有する情報受信解析手段と、
該情報受信解析手段により解析された操作情報に基づいて前記画像表示出力装置と前記印刷実行手段とを制御する操作制御手段と、
を備える印刷装置。
【請求項１０】
外観が高さが２０ｃｍ以下で幅が６０ｃｍ以下で奥行きが６０ｃｍ以下の略箱形形状に形成されてなる請求項８または９記載の印刷装置。
【請求項１１】
側面の一方を正面とし、該正面から印刷用記録剤カートリッジを着脱することを特徴とする請求項８ないし１０いずれか記載の印刷装置。
【請求項１２】
側面の一方を正面とし、該正面から給排紙することを特徴とする請求項８ないし１１いずれか記載の印刷装置。
【請求項１３】
接続された表示機器に表示する画面イメージを記憶する画面イメージ記憶手段と、１画面を奇数行フィールドと偶数行フィールドとの２段階で表示するインターレース方式の映像信号として前記画面イメージ記憶手段に記憶されている画面イメージを前記表示機器へ出力し奇数行フィールドに対応する画面イメージを奇数行フィールドの映像信号として出力すると共に偶数行フィールドに対応する画面イメージを偶数行フィールドの映像信号として出力する通常モードと奇数行フィールドと偶数行フィールドのいずれかである所定フィールドに対応する画面イメージを奇数行フィールドと偶数行フィールドの両方の映像信号として出力する奇数偶数同一モードとを有する画面イメージ出力手段と、画像を記憶する画像記憶手段と、を備え、前記表示機器に画像を表示出力する画像表示出力装置の制御方法であって、
（ａ）前記画像記憶手段に記憶されている画像の中から指定された画像の所定のアニメーション効果を伴う前記表示機器への表示指示がなされたときに、前記画面イメージ出力手段を奇数偶数同一モードに設定すると共に該指定された画像の奇数行フィールドに対応する画素と偶数行フィールドに対応する画素とを混合した混合画像の前記所定フィールドに対応する画像を用いて該所定のアニメーション効果に係る各コマの画像を生成し該生成した各コマの画像を該所定フィールドに対応する画面イメージとして前記画面イメージ記憶手段に書き込み、
（ｂ）前記所定のアニメーション効果に係る最終コマの画像としての前記混合画像の前記所定フィールドに対応する画像が該所定フィールドに対応する画面イメージとして書き込まれた後に、前記画面イメージ出力手段を通常モードに設定すると共に前記指定された画像を前記画面イメージとして前記画面イメージ記憶手段に書き込む、
画像表示出力装置の制御方法。
【発明の詳細な説明】
【技術分野】
【０００１】
本発明は、画像表示出力装置およびこの制御方法に関し、詳しくは、接続された表示機器に画像を表示出力する画像表示出力装置およびこの制御方法に関する。
【背景技術】
【０００２】
従来、この種の画像表示出力装置としては、デジタルカメラで撮影した画像などをテレビ受像機の画面上で鑑賞するものが提案されている（例えば、特許文献１参照）。この装置では、メモリカードなどに記憶されている画像をテレビ受像機の画面上に一覧表示し、この一覧表示された画像の中から選択された画像の拡大表示などを行なっている。
【特許文献１】特開２００３−１２５３３８号公報
【発明の開示】
【発明が解決しようとする課題】
【０００３】
しかしながら、上述の装置では、ゲーム専用機やパーソナルコンピュータなどと比較すると描画処理能力が劣る傾向にあるから、画像を表示する際の表示態様が単調なものとなってしまうことがある。一方、こうした装置において、解像度を低くした画像を用いることによりアニメーション表示などを行なう際の処理負荷を低減する手法も考えられるが、この場合、解像度を低くした画像から元の画像に切り替えて表示する際などに違和感が生じてしまう虞がある。
【０００４】
本発明の画像表示出力装置およびこの制御方法は、アニメーション効果を伴って画像を表示する際に生じる違和感を軽減することを目的の一つとする。また、本発明の画像表示出力装置およびこの制御方法は、アニメーション効果を伴って画像を表示する際の処理負荷をより低減することを目的の一つとする。
【課題を解決するための手段】
【０００５】
本発明の画像表示出力装置およびこの制御方法は、上述の目的の少なくとも一部を達成するために以下の手段を採った。
【０００６】
本発明の画像表示出力装置は、
接続された表示機器に画像を表示出力する画像表示出力装置であって、
前記表示機器に表示する画面イメージを記憶する画面イメージ記憶手段と、
１画面を奇数行フィールドと偶数行フィールドとの２段階で表示するインターレース方式の映像信号として前記画面イメージ記憶手段に記憶されている画面イメージを前記表示機器へ出力し、奇数行フィールドに対応する画面イメージを奇数行フィールドの映像信号として出力すると共に偶数行フィールドに対応する画面イメージを偶数行フィールドの映像信号として出力する通常モードと、奇数行フィールドと偶数行フィールドのいずれかである所定フィールドに対応する画面イメージを奇数行フィールドと偶数行フィールドの両方の映像信号として出力する奇数偶数同一モードとを有する画面イメージ出力手段と、
画像を記憶する画像記憶手段と、
該記憶されている画像の中から指定された画像の所定のアニメーション効果を伴う前記表示機器への表示指示がなされたときに、前記画面イメージ出力手段を奇数偶数同一モードに設定すると共に該指定された画像の奇数行フィールドに対応する画素と偶数行フィールドに対応する画素とを混合した混合画像の前記所定フィールドに対応する画像を用いて該所定のアニメーション効果に係る各コマの画像を生成し該生成した各コマの画像を該所定フィールドに対応する画面イメージとして前記画面イメージ記憶手段に書き込む画像アニメーション表示手段と、
該画像アニメーション表示手段により前記所定のアニメーション効果に係る最終コマの画像としての前記混合画像の前記所定フィールドに対応する画像が該所定フィールドに対応する画面イメージとして書き込まれた後に、前記画面イメージ出力手段を通常モードに設定すると共に前記指定された画像を前記画面イメージとして前記画面イメージ記憶手段に書き込む後処理実行手段と、
を備えることを要旨とする。
【０００７】
この本発明の画像表示出力装置では、指定された画像の所定のアニメーション効果を伴う表示指示がなされたときに、画面イメージ出力手段を奇数偶数同一モードに設定すると共に指定された画像の混合画像の所定フィールドに対応する画像を用いて所定のアニメーション効果における各コマの画像を生成して所定フィールドに対応する画面イメージとして書き込む。したがって、指定された画像より縦方向の解像度が半分の画像（混合画像の所定フィールドに対応する画像）を用いて各コマの画像を生成して所定フィールドに対応する画面イメージとして書き込むことにより、奇数偶数同一モードを用いたアニメーション効果を伴う画像表示を行なうことができる。この結果、アニメーション効果を伴う画像表示に掛かる処理負荷をより低減することができる。また、奇数偶数同一モードから通常モードに切り替える際に、奇数行フィールドに対応する画素と偶数行フィールドに対応する画素とを混合した混合画像から元の画像に切り替えて表示するから、切り替えの際に生じる違和感を軽減することができる。ここで「表示機器」としては、テレビ受像機などを挙げることができる。
【０００８】
こうした本発明の画像表示出力装置において、前記混合画像は、上下に隣接する奇数行フィールドに対応する画素と偶数行フィールドに対応する画素のうち所定の画素を入れ替えた画像であるものとすることもできる。この態様の本発明の画像表示出力装置において、前記所定の画素は、行方向に１画素おきの画素であるものとすることもできる。こうすれば、画素を入れ替えるだけで混合画像を実現することができる。
【０００９】
また、本発明の画像表示出力装置において、前記後処理実行手段は、前記画面イメージ出力手段を通常モードに設定すると共に前記指定された画像の混合画像を前記画面イメージとして書き込み、その後、前記指定された画像を前記画面イメージとして書き込む手段であるものとすることもできる。こうすれば、奇数偶数同一モードから通常モードに切り替える際に、混合画像を通常モードで表示し、その後、元の画像に切り替えて表示するようにすることができる。この結果、奇数偶数同一モードから通常モードに切り替える際に生じる違和感をより軽減することができる。
【００１０】
さらに、本発明の画像表示出力装置において、前記表示指示は前記表示機器に表示されている画像からのクロスフェード効果を伴って前記指定された画像を表示する指示であり、前記画像アニメーション表示手段は前記指定された画像の混合画像と前記表示されている画像とを用いて前記クロスフェード効果に係る各コマの画像を生成して前記所定フィールドに対応する画面イメージとして書き込む手段であるものとすることもできる。こうすれば、クロスフェード効果を伴って画像を表示する際に本発明の画像表示出力装置を適用することができる。この態様の本発明の画像表示出力装置において、前記画像アニメーション表示手段は、前記指定された画像の混合画像と前記表示されている画像の混合画像とを用いて前記クロスフェード効果に係る各コマの画像を生成する手段であるものとすることもできる。こうすれば、通常モードから奇数偶数同一モードに切り替える際に、表示されている画像から表示されている画像の混合画像に切り替えて表示することができる。この結果、通常モードから奇数偶数同一モードに切り替える際に生じる違和感を軽減することができる。ここで「クロスフェード効果」とは、表示されている画像の合成比率を減少させると共に指定された画像の合成比率を増加させながら各画像を合成して表示する効果を意味する。
【００１１】
本発明の印刷装置は、上述したいずれかの態様の本発明の画像表示出力装置、即ち、基本的には、接続された表示機器に画像を表示出力する画像表示出力装置であって、前記表示機器に表示する画面イメージを記憶する画面イメージ記憶手段と、１画面を奇数行フィールドと偶数行フィールドとの２段階で表示するインターレース方式の映像信号として前記画面イメージ記憶手段に記憶されている画面イメージを前記表示機器へ出力し、奇数行フィールドに対応する画面イメージを奇数行フィールドの映像信号として出力すると共に偶数行フィールドに対応する画面イメージを偶数行フィールドの映像信号として出力する通常モードと、奇数行フィールドと偶数行フィールドのいずれかである所定フィールドに対応する画面イメージを奇数行フィールドと偶数行フィールドの両方の映像信号として出力する奇数偶数同一モードとを有する画面イメージ出力手段と、画像を記憶する画像記憶手段と、該記憶されている画像の中から指定された画像の所定のアニメーション効果を伴う前記表示機器への表示指示がなされたときに前記画面イメージ出力手段を奇数偶数同一モードに設定すると共に該指定された画像の奇数行フィールドに対応する画素と偶数行フィールドに対応する画素とを混合した混合画像の前記所定フィールドに対応する画像を用いて該所定のアニメーション効果に係る各コマの画像を生成し該生成した各コマの画像を該所定フィールドに対応する画面イメージとして前記画面イメージ記憶手段に書き込む画像アニメーション表示手段と、該画像アニメーション表示手段により前記所定のアニメーション効果に係る最終コマの画像としての前記混合画像の前記所定フィールドに対応する画像が該所定フィールドに対応する画面イメージとして書き込まれた後に前記画面イメージ出力手段を通常モードに設定すると共に前記指定された画像を前記画面イメージとして前記画面イメージ記憶手段に書き込む後処理実行手段と、を備える画像表示出力装置を備え、前記画像を印刷する印刷実行手段を備えることを要旨とする。
【００１２】
この本発明の印刷装置では、上述したいずれかの態様の本発明の画像表示出力装置を備えるから、本発明の画像表示出力装置が奏する効果、例えば、アニメーション効果を伴う画像表示に掛かる処理負荷をより低減することができる効果や、奇数偶数同一モードから通常モードに切り替える際に生じる違和感を軽減することができる効果などを奏することができる。
【００１３】
こうした本発明の印刷装置において、操作者の操作に基づく操作情報を光信号に変換して送信する操作信号送信手段と、該操作信号送信手段からの光信号を受光する受光部と該受光部で受光した光信号に基づいて前記操作情報を解析する情報解析部とを有する情報受信解析手段と、該情報受信解析手段により解析された操作情報に基づいて前記画像表示出力装置と前記印刷実行手段とを制御する操作制御手段と、を備えるものとすることもできる。
【００１４】
また、本発明の印刷装置において、外観が高さが２０ｃｍ以下で幅が６０ｃｍ以下で奥行きが６０ｃｍ以下の略箱形形状に形成されてなるものとしたり、側面の一方を正面とし該正面から印刷用記録剤カートリッジを着脱することを特徴とするものとしたり、側面の一方を正面とし該正面から給排紙することを特徴とするものとしたりすることもできる。
【００１５】
本発明の画像表示出力装置の制御方法は、
接続された表示機器に表示する画面イメージを記憶する画面イメージ記憶手段と、１画面を奇数行フィールドと偶数行フィールドとの２段階で表示するインターレース方式の映像信号として前記画面イメージ記憶手段に記憶されている画面イメージを前記表示機器へ出力し奇数行フィールドに対応する画面イメージを奇数行フィールドの映像信号として出力すると共に偶数行フィールドに対応する画面イメージを偶数行フィールドの映像信号として出力する通常モードと奇数行フィールドと偶数行フィールドのいずれかである所定フィールドに対応する画面イメージを奇数行フィールドと偶数行フィールドの両方の映像信号として出力する奇数偶数同一モードとを有する画面イメージ出力手段と、画像を記憶する画像記憶手段と、を備え、前記表示機器に画像を表示出力する画像表示出力装置の制御方法であって、
（ａ）前記画像記憶手段に記憶されている画像の中から指定された画像の所定のアニメーション効果を伴う前記表示機器への表示指示がなされたときに、前記画面イメージ出力手段を奇数偶数同一モードに設定すると共に該指定された画像の奇数行フィールドに対応する画素と偶数行フィールドに対応する画素とを混合した混合画像の前記所定フィールドに対応する画像を用いて該所定のアニメーション効果に係る各コマの画像を生成し該生成した各コマの画像を該所定フィールドに対応する画面イメージとして前記画面イメージ記憶手段に書き込み、
（ｂ）前記所定のアニメーション効果に係る最終コマの画像としての前記混合画像の前記所定フィールドに対応する画像が該所定フィールドに対応する画面イメージとして書き込まれた後に、前記画面イメージ出力手段を通常モードに設定すると共に前記指定された画像を前記画面イメージとして前記画面イメージ記憶手段に書き込む、
ことを要旨とする。
【００１６】
この本発明の画像表示出力装置の制御方法では、指定された画像の所定のアニメーション効果を伴う表示指示がなされたときに、画面イメージ出力手段を奇数偶数同一モードに設定すると共に指定された画像の混合画像の所定フィールドに対応する画像を用いて所定のアニメーション効果における各コマの画像を生成して所定フィールドに対応する画面イメージとして書き込む。したがって、指定された画像より縦方向の解像度が半分の画像（混合画像の所定フィールドに対応する画像）を用いて各コマの画像を生成して所定フィールドに対応する画面イメージとして書き込むことにより、奇数偶数同一モードを用いたアニメーション効果を伴う画像表示を行なうことができる。この結果、アニメーション効果を伴う画像表示に掛かる処理負荷をより低減することができる。また、奇数偶数同一モードから通常モードに切り替える際に、奇数行フィールドに対応する画素と偶数行フィールドに対応する画素とを混合した混合画像から元の画像に切り替えて表示するから、切り替えの際に生じる違和感を軽減することができる。ここで「表示機器」としては、テレビ受像機などを挙げることができる。
【発明を実施するための最良の形態】
【００１７】
次に、本発明を実施するための最良の形態を実施例を用いて説明する。
【実施例】
【００１８】
図１は、本発明の一実施例としての印刷装置２０を備える印刷システム１０の構成の概略を示す構成図であり、図２は実施例の印刷装置２０のメイン基板３０を中心として印刷システム１０の機能ブロックを示すブロック図である。実施例の印刷装置２０は、ケーブル１４を介して接続されたテレビ受像機１２と共に印刷システム１０を構成しており、印刷装置本体２２と、印刷装置本体２２を遠隔操作するための発光部９２を備えるリモートコントロールユニット（以下、リモコンと称す）９０とにより構成されている。印刷装置本体２２は、高さが５〜２０ｃｍで幅が２２〜６０ｃｍで奥行きが１０〜６０ｃｍ（実施例では高さ１５ｃｍ、幅５０ｃｍ、奥行き５０ｃｍ）の箱形とし、側面の一方が正面２３となるよう構成されており、この正面２３には、給排紙やインクカートリッジの着脱を正面から行なうための開口部が設けられカバー２４が取り付けられている。また、正面２３の左部には、リモコン９０から送信された光信号（赤外線光信号）を受信するための受光部２６を備える操作パネル２５が設けられており、その下部にはコンパクトフラッシュ（サンディスク株式会社の登録商標）やＳＤ（Secure Digital）メモリカード，スマートメディアなどのＰＣカード１５を装着するカードスロット２７が設けられている。
【００１９】
実施例の印刷装置２０のメイン基板３０は、図２に示すように、印刷装置２０全体を制御するメイン制御ユニット３２を中心として構成されており、処理プログラムを記憶するＲＯＭ３４、処理に必要なデータを一時的に記憶するＳＤＲＡＭ３６、操作パネル２５からの操作信号や受光部２６で受光した光信号を解析してコード化すると共にカードスロット２７に装着されたＰＣカード１５との入出力を制御するカード操作部制御ユニット３８、ＶＲＡＭ４２を用いてテレビ受像機１２への表示出力を制御するビデオチップ４０、印刷ヘッド６３を動かすキャリッジモータ６０や紙送り用のＰＦモータ６１，ポンプモータ６２などを駆動するモータドライバ４４、印刷ヘッド６３の駆動用波形を生成するヘッド用ＤＡＣ４６、デジタルスチルカメラやＣＤ−Ｒドライブなどの周辺機器１７と接続するためのホスト用ＵＳＢコネクタ４８、コンピュータ（ＰＣ）１６などと接続するためのデバイス用ＵＳＢコネクタ５０、キャリッジの位置を検出するＣＲエンコーダ６４や紙送りの位置を検出するＰＦエンコーダ６５，ＤＶＤトレーにおけるＤＶＤの有無を検出するＤＶＤトレー検出センサ６６，紙送り機構における用紙の有無を検出する用紙検出センサ６７，用紙トレーにおける用紙の有無を検出する用紙トレー検出センサ６８，カバー２４が開いているのを検出するカバーオープンセンサ６９などの各種センサの接続コネクタ、電源１９への接続コネクタなどが設けられている。これらの各ユニットやコネクタは、バスや信号ラインを介してメイン制御ユニット３２に接続されている。
【００２０】
メイン制御ユニット３２は、カード操作部制御ユニット３８を介してＰＣカード１５から入力した画像ファイルやホスト用ＵＳＢコネクタ４８を介して周辺機器１７から入力した画像ファイルなどをファイル形式に応じて展開すると共にレイアウト処理を行なって印刷イメージを作成しこの印刷イメージに対してＣＭＹＫへの色変換や２値化などの処理を行なって印刷ヘッド６３により印刷可能なデータに変換して印刷を実行したり、デバイス用ＵＳＢコネクタ５０を介してＰＣ１６から入力したプリンタ制御用コマンドと印刷データとに基づいて印刷を実行したりする。また、メイン制御ユニット３２は、こうした印刷の実行に関する処理だけでなく、印刷する画像の指定やレイアウトの設定，印刷条件の設定などの各種操作をテレビ受像機１２への画面表示と受光部２６や操作パネル２５からの操作信号の入力とにより行なう際の各種処理も実行する。
【００２１】
ビデオチップ４０は、ＶＲＡＭ４２に書き込まれた画面イメージを奇数行フィールドと偶数行フィールドとの２段階で表示するインターレース方式のＮＴＳＣ信号としてテレビ受像機１２へ出力し、ＶＲＡＭ４２の画面イメージをそのままＮＴＳＣ信号として出力する通常モードと、奇数行フィールドに対応する画面イメージのみを用いてＮＴＳＣ信号として出力する奇数偶数同一モードとを有する。図３は、通常モードおよび奇数偶数同一モードを概念的に説明する説明図である。図示するように、通常モードでは、奇数行フィールドに対応する画面イメージを奇数行フィールドのＮＴＳＣ信号として出力すると共に偶数行フィールドに対応する画面イメージを偶数行フィールドのＮＴＳＣ信号として出力し、奇数偶数同一モードでは、奇数行フィールドに対応する画面イメージを奇数行フィールドと偶数行フィールドの両方のＮＴＳＣ信号として出力するようになっている。
【００２２】
リモコン９０は、図２に示すように、ボタン操作に対応した光信号を調整して発光部９２から発光する発光制御部９１を備えている。リモコン９０は、図４の外観図に示すように、略長方形の形状をしており、その図中上部側面に発光部９２が取り付けられている。リモコン９０には、発光部９２近傍から、電源ボタン９３ａや画像の拡大や縮小を行なう拡大ボタン９３ｂおよび縮小ボタン９３ｃ，スライドショーを開始するスライドショーボタン９３ｄ，メニューを表示するメニューボタン９３ｅ，処理や画面を直前に戻す戻るボタン９３ｆ，処理を決定したり画像を選択するＯＫボタン９３ｇ，フォーカスフレームを左右や上下に移動させる左ボタン９３ｈ，右ボタン９３ｉ，上ボタン９３ｊ，下ボタン９３ｋ，処理を戻したり進めたりする処理戻しボタン９３ｌおよび処理進めボタン９３ｍ，印刷枚数を増減する枚数増加ボタン９３ｎおよび枚数減少ボタン９３ｏ，印刷を開始する印刷開始ボタン９３ｐ，印刷を中止する印刷中止ボタン９３ｑ，その他の処理に用いられるボタン９３ｒ〜９３ｕなどのボタン群が配置されている。こうして構成されたリモコン９０のボタンが操作者により操作されると、リモコン９０の発光制御部９１により、ボタンに応じた信号に装置を識別する信号を付した光信号に調整して発光部９２から発光する。この光信号を受光部２６で受光すると、カード操作部制御ユニット３８は、上述したように、光信号を解析してコード化しメイン制御ユニット３２に渡す。メイン制御ユニット３２は受け取ったコードに基づいて各処理を実行する。
【００２３】
次に、こうして構成された実施例の印刷装置２０の動作、特にＰＣカード１５などに記憶されている画像を次々に表示するスライドショー表示を行なう際の動作について説明する。図５は、印刷装置２０の電源が投入され所定の初期動作を行なった後にテレビ受像機１２に表示される画像一覧画面１００の一例を示す説明図である。画像一覧画面１００は、図示するように、画像を一覧表示する一覧表示領域１０２とリモコン９０のボタン操作を説明する操作説明領域１０４とにより画面構成されており、ＰＣカード１５などから読み込まれた画像ファイルのサムネイルを一覧表示領域１０２に表示している。この画像一覧画面１００が表示されている状態で、リモコン９０のスライドショーボタン９３ｄが押されると、図６に例示するスライドショー実行処理がメイン制御ユニット３２により実行される。以下、スライドショー実行処理について説明する。
【００２４】
スライドショー実行処理では、まず、図示するように、画像一覧画面１００においてフォーカスフレームが合わせられていた画像をスライドショーの最初の画像としてテレビ受像機１２に表示する処理を実行する（ステップＳ１００）。この処理は、フォーカスフレームが合わせられていた画像の画像ファイルをＰＣカード１５などから読み込んでＶＲＡＭ４２に書き込むことにより行なわれる。
【００２５】
そして、操作者によりスライドショーの終了指示がなされるまで（例えば、リモコン９０の戻るボタン９３ｆが押されるまで）、ＰＣカード１５などに記憶されている画像のうち次に表示する次表示画像をクロスフェード効果を伴って表示するクロスフェード表示処理を繰り返し実行する（ステップＳ１１０，Ｓ１２０）。ここで、スライドショー実行処理の説明を中断し、図７に例示するクロスフェード表示処理について説明する。
【００２６】
クロスフェード表示処理では、まず、図示するように、現在表示されている現在表示画像と次表示画像とのそれぞれについて、ＮＴＳＣ信号における奇数行フィールドに対応する画素と偶数行フィールドに対応する画素とを混合した混合画像を生成してＳＤＲＡＭ３６の所定領域に記憶する（ステップＳ２００）。図８は、混合画像を概念的に説明する説明図である。混合画像は、図示するように、行方向に１画素おきの画素（図８の例では、行方向に偶数番目の画素）を対象として上側の奇数行フィールドに対応する画素と下側の偶数行フィールドに対応する画素とを入れ替えることにより生成される。なお、次表示画像は、予め定められた画像の表示順序（例えば、画像ファイル名の昇順など）に従って特定することができる。
【００２７】
続いて、奇数偶数同一モードとなるようにビデオチップ４０に対して制御信号を送信すると共に現在表示画像の混合画像をＶＲＡＭ４２に書き込む（ステップＳ２１０）。実施例では、現在表示画像の混合画像のうち奇数行フィールドに対応する部分をＶＲＡＭ４２の奇数行フィールドに対応する領域に書き込むものとした。勿論、奇数偶数同一モードではＶＲＡＭ４２の偶数行フィールドに対応する領域の画面イメージは無視されるから、混合画像全体をＶＲＡＭ４２に書き込んでしまっても構わない。図９は、制御信号を受信したビデオチップ４０が通常モードから奇数偶数同一モードに切り替わる際のＶＲＡＭ４２に書き込まれる画面イメージとテレビ受像機１２に表示される画像との様子を示す説明図である。図示するように、ビデオチップ４０が奇数偶数同一モードに切り替わる際には、ＶＲＡＭ４２に混合画像が書き込まれ、元の画像（画素を入れ替える前の画像）の偶数行フィールドに対応する画素の一部が奇数行フィールドの画素と入れ替わって表示されることになる。ここで、元の画像が表示されている状態でそのままビデオチップ４０を通常モードから奇数偶数同一モードに切り替える場合と比較すると、この場合、元の画像の偶数行フィールドに対応する画素は奇数偶数同一モードでは全く表示されないことになるから、例えば、上下方向のグラデーションを有する画像の場合には、奇数偶数同一モードに切り替わったときに画像全体として上下方向にスライドしたように見えてしまうことがある（図１０参照）。一方、実施例の印刷装置２０では、奇数偶数同一モードに切り替わる際に元の画像の偶数行フィールドに対応する画素も混合して表示されるから、切り替えの際に生じる違和感を軽減することができるのである。
【００２８】
続いて、次表示画像がクロスフェード効果を伴って表示されるように、現在表示画像の混合画像と次表示画像の混合画像とを用いてクロスフェード効果の各コマの画像を生成してＶＲＡＭ４２に書き込む処理を繰り返し実行する（ステップＳ２２０〜Ｓ２６０）。具体的には、予め定められているクロスフェード効果の各コマにおける現在表示画像と次表示画像との合成比率に基づいて、各混合画像の奇数行フィールドに対応する部分を合成することにより各コマの画像を生成し、この生成した各コマの画像をＶＲＡＭ４２の奇数行フィールドに対応する領域に書き込むことになる。図１１は、各コマにおける現在表示画像と次表示画像との合成比率の一例を示す説明図である。図示するように、現在表示画像の合成比率が減少するに従って次表示画像の合成比率が増加するようになっており、最終コマでは次表示画像の合成比率が１００％となる。なお、こうしたクロスフェード効果を伴って画像を表示する処理は一般的な処理であり、本発明の中核をなさないから、これ以上の詳細な説明は省略する。
【００２９】
そして、クロスフェード効果の最終コマの画像（即ち、次表示画像の混合画像）がＶＲＡＭ４２に書き込まれると、通常モードとなるようにビデオチップ４０に対して制御信号を送信すると共に次表示画像の元の画像をＶＲＡＭ４２に書き込んで（ステップＳ２７０）、このクロスフェード表示処理を終了する。図１２は、ビデオチップ４０が奇数偶数同一モードから通常モードに切り替わる際のＶＲＡＭ４２に書き込まれる画面イメージとテレビ受像機１２に表示される画像との様子を示す説明図である。図示するように、図９に例示した通常モードから奇数偶数同一モードに切り替わる際と同様に、奇数偶数同一モードでは元の画像の偶数行フィールドに対応する画素も混合して表示されているから、通常モードに切り替わり元の画像が表示される際に生じる違和感を軽減することができるのである。
【００３０】
こうしたクロスフェード表示処理が繰り返し実行され、操作者によりスライドショーの終了指示がなされると、スライドショー実行処理では、画像一覧画面１００の表示に戻り（ステップＳ１３０）、処理を終了する。
【００３１】
以上説明した実施例の印刷装置２０によれば、スライドショーを実行する際に、ビデオチップ４０を奇数偶数同一モードに切り替えて、現在表示画像の混合画像と次表示画像の混合画像とを用いてクロスフェード効果の各コマの画像を生成してＶＲＡＭ４２に書き込む処理を繰り返し実行することにより、クロスフェード効果を伴って次表示画像を表示することができる。この際、各混合画像の奇数行フィールドに対応する部分を合成して各コマの画像を生成するから、クロスフェード効果を伴う画像表示に掛かる処理負荷をより低減することができる。また、ビデオチップ４０を通常モードから奇数偶数同一モードに切り替える際や、奇数偶数同一モードから通常モードに切り替える際に、奇数偶数同一モード側では混合画像を用いることにより元の画像の偶数行フィールドに対応する画素も混合して表示されるから、切り替えの際に生じる違和感を軽減することができる。
【００３２】
ここで、実施例の印刷装置２０では、ＶＲＡＭ４２が画面イメージ記憶手段に相当し、ビデオチップ４０が画面イメージ出力手段に相当し、ＰＣカード１５が画像記憶手段に相当し、ステップＳ２００〜Ｓ２６０の処理を実行するメイン制御ユニット３２が画像アニメーション表示手段に相当し、ステップＳ２７０の処理を実行するメイン制御ユニット３２が後処理実行手段に相当する。
【００３３】
実施例の印刷装置２０では、混合画像は、行方向に１画素おきの画素を対象として上側の奇数行フィールドに対応する画素と下側の偶数行フィールドに対応する画素とを入れ替えることにより生成するものとしたが、上下に隣接する奇数行フィールドに対応する画素と偶数行フィールドに対応する画素とを入れ替えるものであればよく、必ずしも行方向に１画素おきの画素を対象とする必要はない。また、奇数行フィールドに対応する画素と偶数行フィールドに対応する画素とを混合するものであればよく、画素の入れ替えによる混合には限られない。例えば、偶数行フィールドの画素と奇数行フィールドの画素との画素値の平均値を算出することにより奇数行フィールドに対応する画素と偶数行フィールドに対応する画素とを混合するものとしてもよい。
【００３４】
実施例の印刷装置２０では、ビデオチップ４０を通常モードから奇数偶数同一モードに切り替える際や、奇数偶数同一モードから通常モードに切り替える際に、奇数偶数同一モード側では混合画像を用いることにより元の画像の偶数行フィールドに対応する画素を混合して表示し、通常モード側では元の画像を表示するものとしたが、奇数偶数同一モードによる混合画像の表示と通常モードによる元の画像の表示との間に、通常モードによる混合画像の表示を介在させてもよい（図１３参照）。こうすれば、より一層、切り替えの際に生じる違和感を軽減することができる。
【００３５】
実施例の印刷装置２０では、現在表示画像と次表示画像とのそれぞれについて混合画像を生成してＳＤＲＡＭ３６の所定領域に記憶するものとしたが、混合画像を用いることができればよいから、必ずしもＳＤＲＡＭ３６に記憶する必要はない。例えば、ＳＤＲＡＭ３６には元画像を記憶するものとし、この記憶した元画像を混合画像に変換しながら用いるものとしても構わない。また、現在表示画像と次表示画像とのそれぞれについて混合画像を生成しなくても、現在表示画像については元の画像を用いるものとしても差し支えない。
【００３６】
実施例の印刷装置２０では、スライドショーを実行する際に次表示画像をクロスフェード効果を伴って表示するものとしたが、スライドショーの実行以外のタイミングであっても構わないのは勿論である。また、クロスフェード効果以外のアニメーション効果を伴って画像を表示するものとしてもよい。この場合、奇数偶数同一モードとすると共に表示する画像の混合画像を用いてアニメーション効果の各コマの画像を生成してＶＲＡＭ４２の奇数行フィールドに対応する領域に書き込み、最終コマの画像（表示する画像の混合画像）がＶＲＡＭ４２に書き込まれると通常モードとすると共に元の画像をＶＲＡＭ４２に書き込むものとすればよい。
【００３７】
実施例の印刷装置２０では、ビデオチップ４０は、奇数偶数同一モードでは奇数行フィールドに対応する画面イメージを奇数行フィールドと偶数行フィールドの両方のＮＴＳＣ信号として出力するものとしたが、偶数行フィールドに対応する画面イメージを奇数行フィールドと偶数行フィールドの両方のＮＴＳＣ信号として出力するものとしても構わないのは勿論である。
【００３８】
実施例の印刷装置２０では、印刷装置本体２２の外形を高さが２０ｃｍ以下で幅が６０ｃｍ以下で奥行きが６０ｃｍ以下としたが、こうした外形に限定されるものではなく、如何なる形状をしていても構わない。
【００３９】
実施例の印刷装置２０では、側面の一方を正面２３とし、正面２３からインクカートリッジの着脱を行なったり、給排紙するものとしたが、インクカートリッジの着脱を他の部位から行なうものとしたり、給排紙を他の部位から行なうものとしても差し支えない。
【００４０】
実施例の印刷装置２０では、ビデオチップ４０からの表示出力の出力先としてケーブル１４を介して接続されたテレビ受像機１２としたが、他の如何なる表示機器を表示出力の出力先としても構わない。
【００４１】
実施例では、テレビ受像機１２などへの画像表示を行なう本発明を印刷装置２０の形態として説明したが、テレビ受像機１２などへの画像表示を専用に行なう画像表示出力装置の形態としたり、こうした画像表示を行なうデジタルスチルカメラやＤＶＤビデオレコーダなどの各種装置の形態とすることもできる。また、画像表示出力装置の制御方法の形態としても構わない。
【００４２】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【００４３】
【図１】印刷装置２０を備える印刷システム１０の構成の概略を示す構成図。
【図２】印刷システム１０の機能ブロックを示すブロック図。
【図３】通常モードおよび奇数偶数同一モードを概念的に説明する説明図。
【図４】リモコン９０の外観図。
【図５】画像一覧画面１００の一例を示す説明図。
【図６】スライドショー実行処理の一例を示すフローチャート。
【図７】クロスフェード表示処理の一例を示すフローチャート。
【図８】混合画像を概念的に説明する説明図。
【図９】通常モードから奇数偶数同一モードに切り替わる際の様子を示す説明図。
【図１０】通常モードから奇数偶数同一モードに切り替わる際の様子を示す説明図。
【図１１】各コマの現在表示画像と次表示画像との合成比率の一例を示す説明図
【図１２】奇数偶数同一モードから通常モードに切り替わる際の様子を示す説明図。
【図１３】通常モードと奇数偶数同一モードとの切り替えの様子を示す説明図。
【符号の説明】
【００４４】
１０  印刷システム、１２  テレビ受像器、１４  ケーブル、１５  ＰＣカード、１６  ＰＣ、１７  周辺機器、１９  電源、２０  印刷装置、２２  印刷装置本体、２３  正面、２４  カバー、２５  操作パネル、２６  受光部、２７  カードスロット、３０  メイン基板、３２  メイン制御ユニット、３４  ＲＯＭ、３６  ＳＤＲＡＭ、３８  カード操作部制御ユニット、４０  ビデオチップ、４２  ＶＲＡＭ、４４  モータドライバ、４６  ヘッド用ＤＡＣ、４８  ホスト用ＵＳＢコネクタ、５０  デバイス用ＵＳＢコネクタ、６０  キャリッジモータ、６１  ＰＦモータ、６２  ポンプモータ、６３  印刷ヘッド、６４  ＣＲエンコーダ、６５  ＰＦエンコーダ、６６  ＤＶＤトレー検出センサ、６７  用紙検出センサ、６８  用紙トレー検出センサ、６９  カバーオープンセンサ、９０  リモコン、９１  発光制御部、９２  発光部、９３ａ  電源ボタン、９３ｂ  拡大ボタン、９３ｃ  縮小ボタン、９３ｄ  スライドショーボタン、９３ｅ  メニューボタン、９３ｆ  戻るボタン、９３ｇ  ＯＫボタン、９３ｈ  左ボタン、９３ｉ  右ボタン、９３ｊ  上ボタン、９３ｋ  下ボタン、９３ｌ  処理戻しボタン、９３ｍ  処理進めボタン、９３ｎ  枚数増加ボタン、９３ｏ  枚数減少ボタン、９３ｐ  印刷開始ボタン、９３ｑ  印刷中止ボタン、９３ｒ〜９３ｕ  ボタン、１００  画像一覧画面、１０２  一覧表示領域、１０４  操作説明領域。
【図１】
2006018033.tif 000003
【図２】
2006018033.tif 000004
【図３】
2006018033.tif 000005
【図４】
2006018033.tif 000006
【図５】
2006018033.tif 000007
【図６】
2006018033.tif 000008
【図７】
2006018033.tif 000009
【図８】
2006018033.tif 000010
【図９】
2006018033.tif 000011
【図１０】
2006018033.tif 000012
【図１１】
2006018033.tif 000013
【図１２】
2006018033.tif 000014
【図１３】
2006018033.tif 000015